(57)【要約】【課題】  破断板が再導通することを抑制する。【解決手段】  蓄電装置は、ケースと電極端子と電極組立体と電流遮断装置を備えている。電流遮断装置は、電極組立体と電極端子の一方に接続される破断板６０と、電極組立体と電極端子の他方に接続され、かつ、破断板に接続されており、破断板に対して凸となる第１状態と破断板に対して凹となる第２状態とに変化可能な反転板５６を有している。ケース内の圧力が上昇したときに破断板６０が破断して反転板５６が第１状態から第２状態となることで、電極組立体と電極端子とを導通状態から非導通状態に切換える。破断板６０が破断するケース内の圧力は、反転板５６の単体が第１状態から第２状態となるケース内の圧力より高く設定されている。【選択図】図２
2014186949.tif 000002
【特許請求の範囲】
【請求項１】
ケースと、
前記ケースに設けられた電極端子と、
前記ケースに収容された電極組立体と、
前記ケースに収容され、前記電極組立体と前記電極端子との間に配置された電流遮断装置と、を備えており、
前記電流遮断装置は、
前記電極組立体と前記電極端子の一方に接続される破断板と、
前記電極組立体と前記電極端子の他方に接続され、かつ、前記破断板に接続されており、前記破断板に対して凸となる第１状態と前記破断板に対して凹となる第２状態とに変化可能な反転板と、を有しており、
前記ケース内の圧力が上昇したときに前記破断板が破断して前記反転板が第１状態から第２状態となることで、前記電極組立体と前記電極端子とを導通状態から非導通状態に切換え、
前記破断板が破断する前記ケース内の圧力は、前記反転板単体が前記第１状態から前記第２状態となる前記ケース内の圧力より高く設定されている、蓄電装置。
【請求項２】
前記ケース内の圧力が上昇すると、前記破断板が破断し、その後、前記反転板が前記第１状態から前記第２状態に変化する、請求項１に記載の蓄電装置。
【請求項３】
前記破断板は、中央部と、前記中央部より外側の領域となる外周部と、前記中央部と前記外周部の間に位置し、前記中央部及び前記外周部より機械的強度の低い脆弱部と、を有しており、
前記反転板は、前記中央部に固定されており、
前記反転板は、初期状態において、前記中央部を前記反転板側とは反対方向に付勢しており、
前記ケース内の圧力が上昇すると、前記中央部に前記反転板側の方向に力が作用して、前記破断板が前記脆弱部で破断する、
請求項１又は２に記載の蓄電装置。
【請求項４】
請求項１〜３のいずれか一項に記載の構造からなる二次電池。
【発明の詳細な説明】
【技術分野】
【０００１】
本明細書は、蓄電装置および二次電池に関する技術を開示する。
【背景技術】
【０００２】
蓄電装置には、蓄電装置が過充電され、あるいは、内部で短絡が発生したときに、電極組立体と電極端子とを接続する通電経路を遮断する電流遮断装置が装備されることがある（例えば、特許文献１）。特許文献１の電流遮断装置は、ケース内の内圧が上昇したときに破断する破断板と、その破断板に接続された反転板を備えている。破断板が破断すると、電極組立体と電極端子とを接続する通電経路が遮断され、電極組立体と電極端子の間を流れる電流が遮断される。また、破断板が破断した状態では反転板が反転し、破断板が破断箇所で再導通することが防止される。
【先行技術文献】
【特許文献】
【０００３】
【特許文献１】特開２００９−１１０８０８号公報
【発明の概要】
【発明が解決しようとする課題】
【０００４】
上述したように、この種の蓄電装置では、反転板が反転することで、破断板の破断箇所に絶縁距離が確保され、破断板の再導通が防止される。しかしながら、従来の蓄電装置では、破断後に反転板が十分に反転しない場合があり、この場合には、破断板の破断後に再導通が生じる虞がある。本明細書では、破断板が破断したときに反転板を確実に反転させることで、破断板が再導通することを抑制することができる技術を提供する。
【課題を解決するための手段】
【０００５】
本明細書が開示する蓄電装置は、ケースと、ケースに設けられた電極端子と、ケースに収容された電極組立体と、ケースに収容され、電極組立体と電極端子との間に配置された電流遮断装置を備えている。電流遮断装置は、電極組立体と電極端子の一方に接続される破断板と、電極組立体と電極端子の他方に接続され、かつ、破断板に接続されており、破断板に対して凸となる第１状態と破断板に対して凹となる第２状態とに変化可能な反転板を有している。ケース内の圧力が上昇したときに破断板が破断して反転板が第１状態から第２状態となることで、電極組立体と電極端子とを導通状態から非導通状態に切換える。破断板が破断するケース内の圧力は、反転板単体が第１状態から第２状態となるケース内の圧力より高く設定されている。
【０００６】
上記の蓄電装置では、破断板が破断する前の状態では、反転板に対して、反転板が第１状態を維持するように破断板から力が作用する一方、ケース内の圧力によって反転板が第１状態から第２状態に変化しようとする。ここで、破断板を破断させるのに要するケース内の圧力は、反転板単体を第１状態から第２状態に変化させるのに要するケース内の圧力より高く設定されている。このため、破断板が破断する時のケース内の圧力は、反転板を第１状態から第２状態とするために必要な圧力より高くなっている。したがって、破断板が破断すると（すなわち、破断板から反転板に作用する力が消失すると）、反転板が確実に第１状態から第２状態に変化することができ、破断板が再導通することを抑制することができる。
【発明の効果】
【０００７】
本発明によると、破断板が破断した後に再導通することを抑制することができる。
【図面の簡単な説明】
【０００８】
【図１】蓄電装置の断面図。
【図２】端子と電極が導通しているときの電流遮断装置を示す図。
【図３】端子と電極が非導通のときの電流遮断装置を示す図。
【図４】電池内の圧力と、反転板の変位との経時変化を説明するための図。
【発明を実施するための形態】
【０００９】
以下、本明細書で開示する実施例の技術的特徴の幾つかを記す。なお、以下に記す事項は、各々単独で技術的な有用性を有している。
【００１０】
（特徴１）  本明細書に開示する蓄電装置では、ケース内の圧力が上昇すると、破断板が破断し、その後、反転板が第１状態から第２状態に変化してもよい。このような構成によると、破断板が破断するまでは反転板は第１状態に維持され、破断板が破断した後に反転板が第１状態から第２状態に変化する。破断板が破断するまでは反転板の状態が変化しないため、破断板が破断するときのケース内の圧力を精度よく管理することができる。
【００１１】
（特徴２）  本明細書に開示する蓄電装置では、破断板は、中央部と、中央部より外側の領域となる外周部と、中央部と外周部の間に位置し、中央部及び外周部より機械的強度の低い脆弱部と、を有していてもよい。反転板は、中央部に固定されていてもよい。反転板は、初期状態において、破断板の中央部を反転板側とは反対方向に付勢していてもよい。ケース内の圧力が上昇すると、中央部に反転板側の方向に力が作用して、破断板が脆弱部で破断してもよい。このような構成によると、反転板が第１状態から第２状態となるために要する力が大きくなる分、反転板が第２状態から第１状態となるために要する力も大きくなる。すなわち、反転板が第２状態で保持され易くなる。このため、破断板が再導通することをより抑制することができる。
【００１２】
（第１実施例）  以下、第１実施例の蓄電装置１００について説明する。蓄電装置１００は、二次電池の一種であるリチウムイオン二次電池である。図１に示すように、蓄電装置１００は、ケース４と、電極組立体２と、電極端子としての正極端子３０、及び負極端子１０と、電流遮断装置５０を備えている。ケース４は、金属製であり、略直方体形状である。ケース４の内部には、電極組立体２と電流遮断装置５０が収容されている。また、ケース４の内部は、電解液で満たされている。ケース４の上面４ａにおいて、正極端子３０と負極端子１０が、ケース４の外部に露出している。ケース４の上面４ａには、貫通孔４ｂ，４ｃが形成されている。正極端子３０が貫通孔４ｂを通過しており、負極端子１０が貫通孔４ｃを通過している。貫通孔４ｂには、絶縁性の第１シール部材４２が取り付けられている。貫通孔４ｃには、絶縁性の第２シール部材２２が取り付けられている。なお、ケース４の形状に制限はなく、例えば、円筒状、直方体状、あるいは、フィルムで形成されているシート状であってもよい。
【００１３】
正極端子３０は、外部ナット３６と、内部ナット３２と、ボルト３４を備えている。外部ナット３６は、正極端子３０と正極配線（図示省略）との結線に用いられる。内部ナット３２は、第１シール部材４２に取り付けられている。内部ナット３２の一部は、貫通孔４ｂを通過している。ボルト３４は、内部ナット３２に締結されている。ボルト３４とケース４の間には、第３シール部材４０が介在している。正極端子３０は、シール部材４０，４２によってケース４から絶縁されている。内部ナット３２には、第１正極リード４４が固定されている。内部ナット３２と第１正極リード４４は、電気的に接続している。第１正極リード４４は、第１シール部材４２によってケース４から絶縁されている。正極端子３０は、第１正極リード４４、電流遮断装置５０及び第２正極リード４５を介して、電極組立体２の正極電極と導通している。電流遮断装置５０については後述する。
【００１４】
負極端子１０は、外部ナット１６と、内部ナット１２と、ボルト１４を備えている。外部ナット１６は、負極端子１０と負極配線（図示省略）との結線に用いられる。内部ナット１２は、第２シール部材２２に取り付けられている。内部ナット１２の一部は、貫通孔４ｃを通過している。ボルト１４は、内部ナット１２に締結されている。ボルト１４とケース４の間には、第４シール部材２０が介在している。負極端子１０は、シール部材２０，２２によってケース４から絶縁されている。内部ナット１２には、負極リード２４が固定されている。内部ナット１２と負極リード２４は、電気的に接続している。負極リード２４は、第２シール部材２２によってケース４から絶縁されている。負極端子１０は、負極リード２４を介して、電極組立体２の負極電極と導通している。
【００１５】
（電極組立体）
電極組立体２は、ケース４の上面４ａ側に突出する凸部２ａを備えている。電極組立体２は、正極電極と、負極電極と、正極電極と負極電極の間に介在しているセパレータを備えている。正極電極、負極電極及びセパレータの図示は省略する。正極電極は、正極集電体と、正極集電体上に形成されている正極活物質層を有する。正極電極には、正極集電タブ４６が固定されている。正極集電タブ４６には、正極活物質層が塗布されていない。負極電極は、負極集電体と、負極集電体上に形成されている負極活物質層を有する。負極電極には、負極集電タブ２６が固定されている。負極集電タブ２６には、負極活物質層が塗布されていない。なお、活物質層に含まれる材料（活物質、バインダ、導電助剤等）には特に制限がなく、公知の蓄電装置等の電極に用いられる材料を用いることができる。
【００１６】
ここで、正極集電体には、例えば、アルミニウム（Ａｌ）、ニッケル（Ｎｉ）、チタン（Ｔｉ）、ステンレス鋼又はそれらの複合材料もしくは合金を用いることができる。特に、アルミニウム又はアルミニウムを含む複合材料もしくは合金であることが好ましい。また、正極活物質には、リチウムイオンが侵入及び脱離可能な材料であればよく、Ｌｉ２ＭｎＯ３、Ｌｉ（ＮｉＣｏＭｎ）０．３３Ｏ２、Ｌｉ(ＮｉＭｎ)０．５Ｏ２、ＬｉＭｎ２Ｏ４、ＬｉＭｎＯ２、ＬｉＮｉＯ２、ＬｉＣｏＯ２、ＬｉＮｉ０．８Ｃｏ０．１５Ａｌ０．０５Ｏ２、Ｌｉ２ＭｎＯ２、ＬｉＭｎ２Ｏ４等を使用することができる。また、正極活物質としてリチウム、ナトリウム等のアルカリ金属、あるいは、硫黄などを用いることもできる。これらは１種単独で使用してもよいし、２種以上を併用して用いてもよい。正極活物質は、必要に応じて導電材，結着剤等とともに正極集電体に塗布される。
【００１７】
一方、負極集電体としては、アルミニウム、ニッケル、銅（Ｃｕ）等、又はそれらの複合材料もしくは合金等を使用することができる。特に、銅又は銅を含む複合材料もしくは合金であることが好ましい。また、負極活物質としては、リチウムイオンが侵入及び脱離可能な材料を用いることができる。リチウム（Ｌｉ）、ナトリウム（Ｎａ）等のアルカリ金属、アルカリ金属を含む遷移金属酸化物、天然黒鉛、メソカーボンマイクロビーズ、高配向性グラファイト、ハードカーボン、ソフトカーボン等の炭素材料、シリコン単体又はシリコン含有合金又はシリコン含有酸化物を使用することができる。なお、負極活物質は、電池容量を向上させるため、リチウム（Ｌｉ）を含まない材料であることが特に好ましい。負極活物質は、必要に応じて導電材，結着剤等とともに負極集電体に塗布される。
【００１８】
なお、セパレータは、絶縁性を有する多孔質を用いることができる。セパレータとしては、ポリエチレン（ＰＥ）、ポリプロピレン（ＰＰ）等のポリオレフィン系樹脂からなる多孔質フィルム、あるいは、ポリプロピレン、ポリエチレンテレフタレート（ＰＥＴ）、メチルセルロース等からなる織布または不織布を使用することができる。
【００１９】
また、電解液は、非水系の溶媒に支持塩（電解質）を溶解させた非水電解液であることが好ましい。非水系の溶媒として、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）等の鎖状エステルを含んでいる溶媒、酢酸エチル、プロピロン酸メチルなどの溶媒、又はこれらの混合液を使用することができる。また、支持塩（電解質）として、例えば、ＬｉＰＦ６、ＬｉＢＦ４、ＬｉＡｓＦ６等を使用することができる。
【００２０】
（電流遮断装置）
電流遮断装置５０は、正極端子３０と正極集電タブ（正極電極）４６の間に接続されている。電流遮断装置５０は、ケース４の上面４ａ側の内面と電極組立体２の凸部２ａとの間に配置されている。なお、電流遮断装置は、負極電極と負極端子の間に接続してもよいし、正極電極と正極端子の間、及び、負極電極と負極端子の間の双方に接続してもよい。
【００２１】
図２に示すように、電流遮断装置５０は、金属製の反転板５６と、金属製の破断板６０と、絶縁性を有する支持部材５２を備えている。支持部材５２は、反転板５６と破断板６０を支持している。支持部材５２の上面及び下面には、金属製の板材５１が取付けられている。支持部材５２に板材５１が取付けられることで、支持部材５２の機械的強度の向上が図られている。支持部材５２の上面に取付けられた板材５１は、第１シール部材４２の下面に取付けられる。これによって、電流遮断装置５０がケース４の内面に取付けられている。
【００２２】
破断板６０は、底面視すると円形状の受圧面（ケース４の内圧が作用する面）を有しており、受圧面の全周は支持部材５２によって支持されている。破断板６０の下側（反転板５６側とは反対側（破断板６０の電極組立体２側））の面（すなわち、受圧面）には、溝部５５が形成されている。溝部５５は、底面視すると円形状に形成されている。また、図２に示す断面において、溝部５５の断面形状は上方に凸となる三角形状をしている。溝部５５が形成された位置における破断板６０の機械的強度は、溝部５５以外の位置における破断板６０の機械的強度よりも低い。すなわち、溝部５５が「脆弱部」の一例である。後述するように、破断板６０は、ケース４内の内圧が上昇すると、溝部５５で破断する。破断板６０が溝部５５で破断するときのケース４内の圧力は、破断板６０の材質、破断板６０の板厚等の形状、及び溝部５５の形状等を変更することで調整することができる。破断板６０は、溝部５５によって、溝部５５で囲まれた中央部６０ａと、溝部５５の外周側に位置する外周部６０ｂに区分されている。反転板５６は、破断板６０の中央部６０ａに固定されている。破断板６０の下面（受圧面）には、絶縁膜５４が形成されている。破断板６０は、反転板５６に電気的に接続している。また、破断板６０は、第２正極リード４５（図１も参照）に電気的に接続している。すなわち、電流遮断装置５０（反転板５６と破断板６０）は、第２正極リード４５を介して正極電極に電気的に接続して、通電経路を構成している。
【００２３】
反転板５６は、平面視すると円形状の板材である。反転板５６の中央部５６ａは、図２に示す導通状態において下方に凸となっており、破断板６０の中央部６０ａに固定されている。また、反転板５６の中央部５６ａは、図３に示す非導通状態においては上方に凸（下方に凹）となる。すなわち、反転板５６は反転することで、その中央部５６ａが下方に凸な状態（図２に示す状態）と、上方に凸（下方に凹）な状態（図３に示す状態）とに切換えられる。反転板５６を第１シール部材４２に投影した時の投影面積は、反転板５６の下面の面積よりも狭いため、反転板５６は、その中央部５６ａが下方に凸な状態（図２に示す状態）と、上方に凸（下方に凹）な状態（図３に示す状態）となることで安定するためである。反転板５６を下方に凸な状態から上方に凸な状態とするためには、反転板５６に上向きの力を作用させる。反転板５６に作用する上向きの力が所定値を超えると、反転板５６は反転し、下方に凸な状態から上方に凸な状態となる。上記所定値は、反転板５６の材質や形状（例えば、板厚、形状等）を調整することで調整することができる。反転板５６の外周部５６ｂの外周縁は、支持部材５２によって支持されている。反転板５６の外周部５６ｂの破断板６０側の面（反転板５６の下側の面）は、支持部材５２によって破断板６０から絶縁されている。反転板５６の外周部５６ｂの上面側（すなわち、反転板５６の破断板６０とは反対側）の面は、第１正極リード４４に電気的に接続されている。
【００２４】
ここで、反転板５６と破断板６０とに挟まれた空間５７にはケース４内のガスが導入される。すなわち、支持部材５２には、図示しない位置で空間５７と外部（ケース４内の空間）とを連通する貫通孔が形成されている。この貫通孔を通ってケース４内のガスが空間５７内に導入される。したがって、反転板５６の下面及び破断板６０の上面（外周部６０ｂの上面）にはケース４内の内圧が作用する。一方、反転板５６と第１シール部材４２とで挟まれた空間５８は、ケース４内の空間から隔離されている。このため、空間５８内に封入されたガスの圧力は、ケース４内の内圧が上昇しても上昇しない。反転板５６の上面には、空間５８内に封入されたガスの圧力が作用する。
【００２５】
上述した説明から明らかなように、図２に示す導通状態においては、破断板６０の中央部６０ａには、ケース４内の内圧によって上方向の力が作用すると共に、反転板５６から上向き又は下向きの力が作用する。一方、破断板６０の外周部６０ｂに対しては、その上面に空間５７内のガスの圧力が作用し、その下面にケース４内の内圧が作用する。上述したように、空間５７内にはケース４内のガスが導入され、ケース４内の内圧と同一となっている。このため、破断板６０の外周部６０ｂの上面に作用するガスの圧力と、破断板６０の外周部６０ｂの下面に作用するガスの圧力はバランスする。したがって、破断板６０には、中央部６０ａにおいて、ケース４内の内圧による上向きの力と、反転板５６からの力が作用することとなる。
【００２６】
反転板５６には、空間５７内のガスの圧力（ケース４内の内圧）によって上方向の力が作用する一方、空間５８に封入されたガスの圧力によって下方向の力が作用する。したがって、反転板５６には、ケース４内の内圧と空間５８に封入されたガスの圧力との差圧に基づく力が作用する。また、反転板５６から破断板６０に作用する力の反作用として、破断板６０から反転板５６に下向き又は上向きの力が作用する。したがって、反転板５６には、ケース４内の内圧と空間５８に封入されたガスの圧力との差圧に基づく力と、破断板６０からの力が作用することとなる。
【００２７】
なお、図３に示す非導通状態においては、破断板６０は溝部５５で破断し、中央部６０ａと外周部６０ｂとに分離している。このため、反転板５６には、ケース４内の内圧と空間５８に封入されたガスの圧力との差圧に基づく力のみが作用する。したがって、この差圧に基づく力が所定値を超えると、反転板５６は、下に凸な状態から上に凸な状態に変化する。
【００２８】
上述した蓄電装置１００において、図２に示す状態では、正極端子３０と正極集電タブ４６（正極電極）が導通しており、負極端子１０と負極集電タブ２６（負極電極）が導通している（図１も参照）。そのため、正極端子３０と負極端子１０の間が通電している。
【００２９】
ケース４内の内圧が上昇すると、空間５７内のガスの圧力も上昇し、反転板５６に対して上方向の力が作用する。破断板６０が破断していない状態では、反転板５６には、破断板６０から下方向の力が作用する。このため、反転板５６は、その中央部５６ａが下に凸な状態（図２に示す状態）を維持する。一方、破断板６０には、上述したように、中央部６０ａにおいて、ケース４内の内圧に基づく上向きの力と、反転板５６からの力（上向きの力）が作用する。したがって、ケース４内の圧力が上昇すると、溝部５５の先端から亀裂が進展し、破断板６０は、溝部５５において破断する。
【００３０】
破断板６０が溝部５５において破断すると、破断板６０から反転板５６に作用する下方向の力が消失し、反転板５６には、ケース４内の内圧と空間５８に封入されたガスの圧力との差圧に基づく上向きの力のみが作用する。この上向きの力が、反転板５６を下方に凸な状態から上方に凸な状態とするための所定値を超えると、反転板５６が下方に凸な状態（図２に示す状態）から上方に凸な状態（図３に示す状態）となる。その結果、破断板６０の中央部６０ａと外周部６０ｂとが離間し、両者が非導通となると共に両者の間に絶縁距離が確保される。これによって、正極端子３０と負極端子１０の間に流れる電流が遮断され、非導通状態に切換えられる。
【００３１】
ここで、本実施例の電流遮断装置５０では、破断板６０を溝部５５で破断させるのに要するケース４内の圧力が、反転板５６を単体で下に凸な状態から上に凸な状態に変化させるのに要するケース４内の圧力より高く設定されている。このため、破断板６０が溝部５５で破断すると、直ちに反転板５６は下に凸な状態から上に凸な状態に変化し、破断板６０が非導通状態となる。すなわち、図４に示すように、ケース４内の圧力Ｐが上昇すると、反転板５６及び破断板６０に作用する圧力も上昇する。ケース４内の圧力Ｐは、反転板５６を単体で下に凸な状態から上に凸な状態に変化させるのに要する圧力Ｐ１を超えるが、反転板５６に作用するケース４内の圧力による力は、破断板６０から作用する下向きの力により相殺される。このため、反転板５６は反転することはなく、下に凸な状態が維持される（すなわち、中央部５６ａの位置はｚ＝０で維持される）。ケース４内の圧力Ｐがさらに上昇して圧力Ｐ２となると、破断板６０が溝部５５で破断する。破断板６０が溝部５５で破断すると、破断板６０から反転板５６に作用する下方向の力が消失し、反転板５６には圧力Ｐ１（＞Ｐ２（＝反転板５６を単体で下に凸な状態から上に凸な状態に変化させるのに要する圧力））のみが作用する。このため、反転板５６は、直ちに下に凸な状態から上に凸な状態に変化し、その慣性によって中央部５６ａの位置はｚ２となる。ｚ２の位置まで変位した反転板５６の中央部５６ａは、その後、外力が釣合う位置（位置ｚが変化しない釣合いの位置）まで緩やかに変位する。その結果、破断板６０の中央部６０ａと外周部６０ｂとが距離ｚ１だけ離間し、両者の間に絶縁距離ｚ１が形成される。これによって、破断板６０が再導通することを抑制することができる。
【００３２】
なお、「反転板５６を単体で下に凸な状態から上に凸な状態に変化させるのに要するケース４内の圧力Ｐ１」とは、破断板６０が溝部５５で破断している状態で、ケース４内の圧力を上昇させたときに、反転板５６が下に凸な状態から上に凸な状態に変化するときの圧力である。したがって、圧力Ｐ１は、破断板６０を破断した状態で、ケース４内の圧力を上昇させることで反転板５６を反転させることで測定することができる。
【００３３】
上記したように、電流遮断装置５０では、破断板６０が破断するときのケース４内の圧力Ｐ２が、反転板５６を単体で反転させるための圧力Ｐ１よりも大きくなるように設定されている。このため、破断板６０が破断したときに反転板５６を確実に反転することができ、破断板６０の中央部６０ａと外周部６０ｂの間に絶縁距離ｚ１を形成することができる。したがって、破断板６０が再導通することを抑制することができる。
【００３４】
なお、上述した実施例の説明から明らかなように、図２に示す導通状態においては、破断板６０の中央部６０ａに、ケース４内の内圧による力と、反転板５６からの力が作用する。したがって、反転板５６から破断板６０に作用する上向きの力が小さくなれば、破断板６０が破断するときのケース４内の圧力Ｐ２は高くなる。すなわち、初期状態（工場出荷時）において、反転板５６から破断板６０に下向きの力が作用するように反転板５６に初期変位を与えると、破断板６０が破断するときのケース４内の圧力Ｐ２を高くすることができる。これによって、破断板６０が破断するときの圧力Ｐ２と、反転板５６が単体で反転するときの圧力Ｐ１との差が大きくなり、反転板５６はより確実に反転し、非通電状態とすることができる。また、初期状態において反転板５６が破断板６０を下方に付勢するように反転板５６に初期変位を与えると、反転板５６が上に凸な状態から下に凸な状態となるために要する力も大きくなる。このため、通電遮断後に外力によって反転板５６が再反転し、破断板６０が再導通することが生じ難くなる。
【００３５】
また、上述した実施例では、破断板６０に溝部５５を形成することで脆弱部を形成したが、脆弱部の構成はこのような構成に限られない。機械的強度が他の部位よりも低く、ケース内の内圧が上昇したときに優先的に破断する構成であればよい。したがって、溝が全周に亘って形成されている必要はなく、周方向に部分的に溝が形成されていてもよい。
【００３６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００３７】
２：電極組立体
４：ケース
１０：負極端子
２２：負極リード
３０：正極端子
４５：正極リード（第２正極リード）
５０：電流遮断装置
５５：溝部
５６：反転板
６０：破断板
【図１】
2014186949.tif 000003
【図２】
2014186949.tif 000004
【図３】
2014186949.tif 000005
【図４】
2014186949.tif 000006